(57)【要約】【課題】  ラックマウント用の機器のラックへの取付作業を容易に行なえることができ、従来、複数の作業者で行なっていた作業が不要となるラックマウント用の機器を取付けるための補助具を提供する。【解決手段】  本発明のラックマウントの機器取付補助具は、離間したマウントアングル２、２間で機器１００を収納する機器収納用ラック１に機器１００を収納する機器取付補助具で、マウントアングル２、２のそれぞれに被引っ掛け部３を設けて、被引っ掛け部３に係合させる引っ掛け部１０を有するラックマウントの機器取付補助具において、一端に引っ掛け部１０を有する固定側バー５と、固定側バー５の他端と回動自在に連結した可動側バー６と、可動側バー６の上面にて機器１００の荷重を受ける部分に設けた球状の回動部品８とからなる。【選択図】  図１
2009182192.tif 000002
【特許請求の範囲】
【請求項１】
離間したマウントアングル間で機器を収納する機器収納用ラックの機器取付補助具で、マウントアングルのそれぞれに被引っ掛け部を設けて、前記被引っ掛け部に係合させる引っ掛け部を有するラックマウントの機器取付補助具において、一端に前記引っ掛け部を有する固定側バーと、前記固定側バーの他端と回動自在に連結した可動側バーと、前記可動側バーの上面にて機器の荷重を受ける部分に設けた球状の回動部品とからなることを特徴とするラックマウントの機器取付補助具。
【請求項２】
前記マウントアングルの被引っ掛け部を穴とし、固定側バーの引っ掛け部を切り起こし片としたことを特徴とする請求項１に記載のラックマウントの機器取付補助具。
【請求項３】
前記可動側バーの側面にハンドルを設けたことを特徴とする請求項１または２に記載のラックマウントの機器取付補助具。
【請求項４】
前記固定側バーの他端と可動側バーとは蝶番を介して回動自在に連結したことを特徴とする請求項１から３のいずれか１項に記載のラックマウントの機器取付補助具。
【発明の詳細な説明】
【技術分野】
【０００１】
本発明は、電気電子機器などの機器収納用ラックのラックマウントに機器を取り付ける際、設置作業時の負荷軽減を図り、各種機器の取付作業を容易にしたラックマウントの機器取付補助具に関するものである。
【背景技術】
【０００２】
従来、離間したマウントアングル２、２間で機器を収納する機器収納用ラック１のラックマウントに機器を取り付ける際は、図８において前面プレート１２を介して機器収納用ラック１のマウントアングル２の穴でできた被引っ掛け部３にナット４を挿入し、ラックマウント用の機器の取付用のねじ穴１３からねじ１１をナット４に対し締結していた。この場合、ラックマウント用の機器の取付作業はマウントアングル２の被引っ掛け部３に対し詳細な位置合わせと機器の荷重の支持を行ないながらねじ止めしなければならなかった。特に重量を有する機器の場合は、支持する作業者とねじ止めを行なう作業者の２名以上で行ない単独作業が困難であった。
【０００３】
その対応策として特許文献１に記載のように、ラックマウント機器用仮止め金具が提案されている。マウントアングル２の丸穴に機器支持棒を通した立方体の上面をラックマウント用機器の仮置きとしてねじ止めする方法があった。しかしこれは機器収納用ラック１の奥行き方向に寸法を有する機器の取り付けには適さない。
【特許文献１】特開２００３−２２９６８５号公報
【発明の開示】
【発明が解決しようとする課題】
【０００４】
上記特許文献１記載のラックマウント機器用仮止め金具は、ラックマウント用の機器の収納の際、ラックの奥行き方向に寸法を有し且つ重量物の機器を支持する為には、マウントアングル２に設けたラックマウント機器用仮止め金具では機器を仮置きした際、機器の重量に耐えられずラックマウント機器用仮止め金具から脱落する恐れを有する問題がある。
【０００５】
更にマウントアングル２に機器を取り付け後、特許文献1記載のラックマウント機器仮止め金具は、構成されている機器支持棒に機器の荷重が掛かり、ねじにて締結後、マウントアングル２から脱することが困難であった。
【０００６】
本発明は、上記問題点を解消し、作業者がラックの奥行き方向に寸法を有する電気電子機器などの機器の荷重を支持することなく、且つ着脱を容易にしたラックマウントの機器取付補助具を提供することを目的とする。
【課題を解決するための手段】
【０００７】
前記従来の課題を解決するために、本発明の離間したマウントアングル間で機器を収納する機器収納用ラックの機器取付補助具で、マウントアングルのそれぞれに被引っ掛け部を設けて、前記被引っ掛け部に係合させる引っ掛け部を有するラックマウントの機器取付補助具は、一端に前記引っ掛け部を有する固定側バーと、前記固定側バーの他端と回動自在に連結した可動側バーと、前記可動側バーの上面にて機器の荷重を受ける部分に設けた球状の回動部品とからなることを特徴とするものである。
【０００８】
第２の発明は、前記マウントアングルの被引っ掛け部を穴とし、固定側バーの引っ掛け部を切り起こし片としたことを特徴とするものである。
【０００９】
第３の発明は、前記可動側バーの側面にハンドルを設けたことを特徴とするものである。
【００１０】
第４の発明は、前記固定側バーの他端と可動側バーとは蝶番を介して回動自在に連結したことを特徴とするものである。
【発明の効果】
【００１１】
本発明の離間したマウントアングル間で機器を収納する機器収納用ラックの機器取付補助具は、電気電子機器などの機器収納用ラックにラックマウント用の機器を取り付ける際、従来複数の作業者で設置作業を行なっていたが、単独作業が可能となり、且つ設置時に重量を有する機器を作業者が支持する必要がなく、取付作業を容易にすることができる。
【００１２】
第１の発明は、マウントアングルのそれぞれに被引っ掛け部を設けて、前記被引っ掛け部に係合させる引っ掛け部を有するラックマウントの機器取付補助具は、一端に前記引っ掛け部を有する固定側バーと、前記固定側バーの他端と回動自在に連結した可動側バーと、前記可動側バーの上面にて機器の荷重を受ける部分に設けた球状の回動部品とからなるので、機器を取り付ける際、重量を有する機器を支持する必要がなく、回動部品で機器を滑らせるので、作業者の作業負荷の低減を図ることができる。
【００１３】
第２の発明は、特に、第１の発明のラックマウントの機器取付補助具を前記マウントアングルの被引っ掛け部を穴とし、固定側バーの引っ掛け部を切り起こし片とし、マウントアングルの穴に固定側バーの引っ掛け部を挿入することにより、ラックマウントの機器取付補助具をマウントアングルの所定位置にはめ込むだけで取り付け可能となりマウントアングルに取り付けようとする機器の取り付け穴の位置合わせの作業が必要なくなった。
【００１４】
第３の発明は、特に、第１または第２の発明のラックマウントの機器取付補助具をマウントアングルに機器を取り付ける際に機器の荷重を受ける部分である前記可動側バーの側面にハンドルを設けることにより、ハンドルを円弧状に手前に引くことによりラックマウントの機器取付補助具をマウントアングルから脱することができる。
【００１５】
第４の発明は、特に、第１〜３のいずれか１つの発明のラックマウントの機器取付補助具を機器の荷重を受けないようにさせる機構として蝶番部を設けることにより、機器の積載後、機器をねじで固定した後、機器の荷重を受けることなくラックマウントの機器取付補助具を脱することができる。
【発明を実施するための最良の形態】
【００１６】
以下、本発明の実施の形態について、図面を参照しながら説明する。なお、この実施の形態によって本発明が限定されるものではない。
【００１７】
図３において、機器収納用ラック１は離間したマウントアングル２、２間で電気電子機器などの機器を収納するラックである。マウントアングル２、２のそれぞれには図４および図５に示すように方形状の穴でできた被引っ掛け部３が複数個設けられている。
【００１８】
図１及び図２は、マウントアングルのそれぞれに２、２のそれぞれに設けた被引っ掛け部３に係合させる１組の機器取付補助具を示す。機器取付補助具は、固定側バー５と可動側バー６とからなる。固定側バー５は左側固定バー５ａ及び右側固定バー５ｂとの複数からなり、それぞれの一端に引っ掛け部１０が設けられており、他端に蝶番７が設けられている。この引っ掛け部１０は金属製で切り起こし片としたりマウントアングル２との接触部に傷が付かない樹脂製である。可動側バー６は左側可動バー６ａ及び右側可動バー６ｂとの複数からなり、それぞれの一端に蝶番７が設けられており、側面には回動運動を加える為のハンドル９が設けられており、上面の機器の荷重を受ける部分には球状の回動部品が設けられている。このように機器１００を仮置きした状態でマウントアングル２に図８に示すように前面プレート１２を介してねじ１１で締結して図６および図７に示すように機器１００を固定して、機器収納用ラック１の機器取付補助具をマウントアングル２から脱する。
【００１９】
以上のように構成されたラックマウントの機器取付補助具について、以下その動作、作用を説明する。
【００２０】
まず、図４および図５に示すように、固定側バー５は左側固定バー５ａ及び右側固定バー５ｂの引っ掛け部１０である切り起こし片をマウントアングル２の被引っ掛け部３である穴に挿入し押し下げ保持することにより固定する。このように固定することにより、機器取付補助具を取り付けて後、手を離した状態でもマウントアングル２から落下しない。また、可動側バー６の左側可動バー６ａ及び右側可動バー６ｂのそれぞれの上面に設けた球状の回動部品８が機器１００の荷重を受けるよう準備している。
【００２１】
次に、図６において、機器取付補助具の上に機器１００を回動部品８の上に積載する。その際、回動部品８は機器１００の底部を支持し、機器１００を仮置きした状態でも落下することなく水平状態を保つ。機器の取り付け用のねじ１１で前面プレート１２を介して機器１００が締結された後、ハンドル９を円弧状に手前に引くことによりラックマウントの機器取付補助具をマウントアングル２から脱することができる。又、回動部品８は、機器１００を仮置きした状態又は既に機器１００をマウントアングル２に前面プレート１２を介してねじ１１で締結した状態であっても可動側バー６を回動させる為に機器１００との接触部に滑りを得られるものである。
【００２２】
図７は、ラックマウントの機器取付補助具をマウンアングル２から脱する状態の斜視図である。機器１００は前面プレート１２を介してマウントアングル２にねじ１１で図８に示すように締結されて、機器１００の取り付け作業は終了するが、その状態ではラックマウントの機器取付補助具を脱することができない。左側固定バー５ａ及び右側固定バー５ｂに固着された左側可動バー６ａ及び右側可動バー６ｂが回動するように蝶番７を設けた。機器１００の底部が接触している回動部品８を有する左側可動バー６ａ及び右側可動バー６ｂのハンドル９を円弧状にマウントアングル２の方向へ引く。引かれた左側可動バー６ａ及び右側可動バー６ｂは、蝶番７を回動軸としてマウントアングル２の方向へ導かれる。そしてマウントアングル２よりも前面側まで回動すると、回動部品８は機器１００を滑らせて機器１００の荷重から開放される。その後、マウントアングル２から機器取付補助具を上方向に押し上げることにより引っ掛け部１０がマウントアングル２の被引っ掛け部３から脱して、ラックマウント２から機器取付補助具を取り外すことができる。
【産業上の利用可能性】
【００２３】
以上のように、本発明にかかるラックマウントの機器取付補助具は、機器収納用ラックへの機器の取付作業の負荷軽減が可能となる。これは機器の取付に限らずマウントアングル２を搭載したラックや筐体への機器取り付けの用途にも適用できる。
【図面の簡単な説明】
【００２４】
【図１】本発明の実施の形態におけるラックマウントの機器取付補助具の左側を成す斜視図である。
【図２】本発明の実施の形態におけるラックマウントの機器取付補助具の右側を成す斜視図である。
【図３】マウントアングルを設けた機器収納用ラックの全体斜視図である。
【図４】左側を成すラックマウントの機器取付補助具とマウントアングルとの結合状態を示す斜視図である。
【図５】右側を成すラックマウントの機器取付補助具とマウントアングルとの結合状態を示す斜視図である。
【図６】ラックマウントの機器取付補助具に機器を積載した状態を示す斜視図である。
【図７】ラックマウントの機器取付補助具をマウントアングルから脱する状態を示す斜視図である。
【図８】図７のＡ部の拡大図でラックマウント用機器の取り付け過程を示す斜視図である。
【図９】従来例を示す斜視図である。
【符号の説明】
【００２５】
１  機器収納用ラック
２  マウントアングル
３  被引っ掛け部
４  ナット
５  固定側バー
５ａ  左側固定バー
５ｂ  右側固定バー
６  可動側バー
６ａ  左側可動バー
６ｂ  右側可動バー
７  蝶番
８  回動部品
９  ハンドル
１０  引っ掛け部
１１  ねじ
１２  前面プレート
１３  ねじ穴
１００  機器
【図１】
2009182192.tif 000003
【図２】
2009182192.tif 000004
【図３】
2009182192.tif 000005
【図４】
2009182192.tif 000006
【図５】
2009182192.tif 000007
【図６】
2009182192.tif 000008
【図７】
2009182192.tif 000009
【図８】
2009182192.tif 000010
【図９】
2009182192.tif 000011